(57)【特許請求の範囲】
【請求項１】
回動により起立状態および倒伏状態になる回動補助脚部を有する脚体と、
この脚体に上下方向に回動可能に設けられ、使用時には下方向への回動により起立状態の前記回動補助脚部にて支持される使用状態になり、不使用時には上方向への回動により水平方向に対して傾斜状の起立不使用状態になる搬送体とを備え、
前記搬送体を起立不使用状態にしかつ前記回動補助脚部を倒伏状態にした状態で、起立不使用状態の搬送体同士を互いに近接対向させることにより、複数重ね合わせることが可能となっている搬送装置であって、
前記脚体は、互いに離間対向した左右一対の第１脚および第２脚を有し、
前記第１脚および前記第２脚の各々は、互いに離間対向した高さの異なる前後一対の垂直脚部を有し、
高さの低い前側の前記垂直脚部の上端部には、前記回動補助脚部が水平方向の回動中心軸線を中心として上下方向に回動可能に設けられ、
高さの高い後側の前記垂直脚部の上端部には、前記搬送体が水平方向の回動中心軸線を中心として上下方向に回動可能に設けられ、
前記搬送体を起立不使用状態にしかつ前記回動補助脚部を倒伏状態にした状態で、その起立不使用状態とされた搬送体の下端がその倒伏状態とされた回動補助脚部の上端よりも高い位置に位置する
ことを特徴とする搬送装置。
【請求項２】
第１脚の下側前端部と第２脚の下側後端部とが、平面視で搬送方向に対して傾斜した長手状の連結部材にて連結されている
ことを特徴とする請求項１記載の搬送装置。
【請求項３】
搬送体は、使用時に起立状態の回動補助脚部の上端部と嵌脱可能に嵌合する嵌合受け部を有する
ことを特徴とする請求項１または２記載の搬送装置。
【発明の詳細な説明】
【技術分野】
【０００１】
本発明は、回動により使用状態および起立不使用状態になる搬送体を備える搬送装置に関するものである。
【背景技術】
【０００２】
従来、例えば複数の連結杆をその中央部および両端部で回動自在に連結してパンタグラフ状に構成した一対の伸縮体と、これら両伸縮体間に架設され搬送方向に並んだ複数のローラとを備えたフリーカーブコンベヤ等の搬送装置が知られている（例えば、特許文献１参照）。
【特許文献１】特公昭６２−１６８８７号公報
【発明の開示】
【発明が解決しようとする課題】
【０００３】
しかしながら、上記従来の搬送装置では、確かに、伸縮体を縮めることにより搬送装置自体を小さくできるため、不使用時に複数の搬送装置をスペース効率良く収納できるものの、部品点数が多く、構成が複雑となりがちである。
【０００４】
本発明は、このような点に鑑みなされたもので、不使用時に複数の搬送装置をスペース効率良く収納できるとともに、部品点数の減少により構成の簡素化を図ることができる搬送装置を提供することを目的とする。
【課題を解決するための手段】
【０００５】
請求項１記載の搬送装置は、回動により起立状態および倒伏状態になる回動補助脚部を有する脚体と、この脚体に上下方向に回動可能に設けられ、使用時には下方向への回動により起立状態の前記回動補助脚部にて支持される使用状態になり、不使用時には上方向への回動により水平方向に対して傾斜状の起立不使用状態になる搬送体とを備え、前記搬送体を起立不使用状態にしかつ前記回動補助脚部を倒伏状態にした状態で、起立不使用状態の搬送体同士を互いに近接対向させることにより、複数重ね合わせることが可能となっている搬送装置であって、前記脚体は、互いに離間対向した左右一対の第１脚および第２脚を有し、前記第１脚および前記第２脚の各々は、互いに離間対向した高さの異なる前後一対の垂直脚部を有し、高さの低い前側の前記垂直脚部の上端部には、前記回動補助脚部が水平方向の回動中心軸線を中心として上下方向に回動可能に設けられ、高さの高い後側の前記垂直脚部の上端部には、前記搬送体が水平方向の回動中心軸線を中心として上下方向に回動可能に設けられ、前記搬送体を起立不使用状態にしかつ前記回動補助脚部を倒伏状態にした状態で、その起立不使用状態とされた搬送体の下端がその倒伏状態とされた回動補助脚部の上端よりも高い位置に位置するものである。
【０００６】
請求項２記載の搬送装置は、請求項１記載の搬送装置において、第１脚の下側前端部と第２脚の下側後端部とが、平面視で搬送方向に対して傾斜した長手状の連結部材にて連結されているものである。
【０００７】
請求項３記載の搬送装置は、請求項１または２記載の搬送装置において、搬送体は、使用時に起立状態の回動補助脚部の上端部と嵌脱可能に嵌合する嵌合受け部を有するものである。
【発明の効果】
【０００８】
本発明によれば、搬送体を起立不使用状態にしかつ回動補助脚部を倒伏状態にした状態で、起立不使用状態の搬送体同士を互いに近接対向させることにより、複数重ね合わせることが可能であるため、不使用時に複数の搬送装置をスペース効率良く収納できるとともに、部品点数の減少により構成の簡素化を図ることができる。また、搬送体が傾斜状の起立不使用状態になるため、搬送体が垂直状の起立不使用状態になる場合に比べて、不使用時の重量バランスが良好である。
【発明を実施するための最良の形態】
【０００９】
本発明の搬送装置の関連技術を図１ないし図４を参照して説明する。
【００１０】
図１ないし図３において、１は搬送装置で、この搬送装置１は、被搬送物を水平な搬送方向に向けて搬送するネスティングローラコンベヤである。なお、例えば搬送装置１の左右方向が搬送方向であり、搬送装置１の前後方向が搬送方向と直交する水平方向である。
【００１１】
搬送装置１は、平面視で略Ｚ字状をなす脚体２を備えている。脚体２は、互いに離間対向した左右一対の第１脚３および第２脚４を有している。第１脚３および第２脚４は、いずれも略矩形環状のもので、互いに離間対向した前後一対の垂直脚部６と、互いに離間対向した上下一対の水平脚部７とを有している。各垂直脚部６の下端部には、車輪ロック機構付きのキャスタ８が設けられている。第１脚３の下側の水平脚部７の前端部と、第２脚４の下側の水平脚部７の後端部とが、平面視で搬送方向に対して傾斜した長手状の１本の連結部材９にて一体に連結されている。なお、脚体２は、第１脚３、第２脚４、キャスタ８および連結部材９等にて構成されている。
【００１２】
また、搬送装置１は、脚体２の第１脚３および第２脚４に水平方向の回動中心軸線を中心として上下方向に回動可能に設けられこれら第１脚３および第２脚４に跨って位置しその回動中心軸線を中心とする略９０度の回動により水平状の使用状態および垂直状の起立不使用状態になる搬送体11を備えている。
【００１３】
搬送体11は、搬送方向に長手状でかつ略板状で互いに離間対向した前後一対のフレーム部12と、これら両フレーム部12間に架設され搬送方向に並んで位置し上面側で被搬送物を載置搬送する略円筒状の複数の搬送ローラ部13とを有している。一対のフレーム部12のうちの一方のフレーム部である後側のフレーム部12が、第１脚３の後側の垂直脚部６の上端部と第２脚４の後側の垂直脚部６の上端部とに例えば蝶番14を介して回動可能に取り付けられている。なお、他方のフレーム部12である前側のフレーム部12の前面には、手作業で搬送体11を回動させる際に把持される手掛け部15が設けられている。
【００１４】
そして、図４に示すように、一の搬送装置１の第１脚３の対向内面に他の搬送装置１の第１脚３の外面（対向内面とは反対側の面）を近接対向させ、一の搬送装置１の第２脚４の外面（対向内面とは反対側の面）に他の搬送装置１の第２脚４の対向内面を近接対向させ、両搬送装置１の起立不使用状態の搬送体同士を互いに近接対向させることにより、複数の搬送装置１を前後に重ね合わせることが可能となっている。すなわち、複数の搬送装置１が前後にネスティング可能となっている。なお、図４は、例えば３台の搬送装置１を左右に若干ずらしてネスティングした状態を示している。
【００１５】
次に、上記搬送装置１の作用等を説明する。
【００１６】
搬送装置１を用いて被搬送物を搬送する場合には、搬送体11の手掛け部15に手を掛けて、搬送体11を脚体２に対して蝶番14の軸を中心として前側のフレーム部12が第１脚３の前側の垂直脚部６の上端部および第２脚４の前側の垂直脚部６の上端部に当接するまで下方回動させることにより、搬送体11を水平状の使用状態に設定する。
【００１７】
不使用時には、搬送体11の手掛け部15に手を掛けて、搬送体11を脚体２に対して蝶番14の軸を中心として上方回動させることにより搬送体11を垂直状の起立不使用状態に設定する。
【００１８】
不使用時に収納スペースに複数台の搬送装置１を収納する場合、図４に示すように、キャスタ８を利用して一の搬送装置１に対して他の搬送装置１を接近移動させることにより複数の搬送装置１を前後にネスティングする。すなわち、一の搬送装置１の第１脚３の対向内面に他の搬送装置１の第１脚３の外面を近接対向させ、一の搬送装置１の第２脚４の外面に他の搬送装置１の第２脚４の対向内面を近接対向させ、両搬送装置１の起立不使用状態の搬送体同士を互いに近接対向させることにより、複数の搬送装置１を前後に重ね合わせる。
【００１９】
そして、このような搬送装置１は、一の第１脚３の対向内面に他の第１脚３の外面を近接対向させ、一の第２脚４の外面に他の第２脚４の対向内面を近接対向させ、起立不使用状態の搬送体11同士を互いに近接対向させることにより、複数重ね合わせることが可能であるため、不使用時に複数の搬送装置１をスペース効率良く収納できるとともに、部品点数の減少により構成の簡素化を図ることができ、軽量化も図れる。しかも、従来とは異なり搬送体11自体を伸縮するような構成ではないため、固定ガイド等のオプション類を搬送体11に取り付けることができる。
【００２０】
次に、本発明の搬送装置の一実施の形態を図５ないし図７を参照して説明する。
【００２１】
図５ないし図７において、21は搬送装置で、この搬送装置21は、被搬送物を水平な搬送方向に向けて搬送するネスティングローラコンベヤである。なお、例えば搬送装置21の左右方向が搬送方向であり、搬送装置１の前後方向が搬送方向と直交する水平方向である。
【００２２】
搬送装置21は、脚体22を備えている。脚体22は、互いに離間対向した左右一対の第１脚23および第２脚24を有している。
【００２３】
第１脚23および第２脚24は、互いに離間対向した高さの異なる前後一対の垂直脚部26a，26bと、互いに離間対向した上下一対の水平脚部27，27とを有している。そして、高さの低い前側の垂直脚部26aの上端部には、回動補助脚部25が水平方向の軸（回動中心軸線）30を中心として上下方向に回動可能に設けられている。この回動補助脚部25は、不使用時には軸30を中心とする下方向への略９０度の回動により水平状の倒伏状態になり、使用時には軸30を中心とする上方向への略９０度の回動により垂直状の起立状態になる。また、各垂直脚部26a，26bの下端部には、車輪ロック機構付きのキャスタ28が設けられている。
【００２４】
また、第１脚23の下側の水平脚部27の前端部と、第２脚24の下側の水平脚部27の後端部とが、平面視で搬送方向に対して傾斜した長手状の１本の連結部材29にて一体に連結されている。さらに、第１脚23の第１脚23の後側の垂直脚部26bの上端部と、第２脚24の後側の垂直脚部26bの上端部とが、搬送方向に長手状の１本の上側連結部材20て一体に連結されている。なお、脚体22は、第１脚23、第２脚24、キャスタ28、連結部材29および上側連結部材20等にて構成されている。
【００２５】
また、搬送装置21は、第１脚23の後側の垂直脚部26bの上端部および第２脚24の後側の垂直脚部26bの上端部に水平方向の軸（回動中心軸線）40を中心として上下方向に回動可能に設けられこれら第１脚23および第２脚24に跨って位置する搬送体31を備えている。この搬送体31は、使用時には軸40を中心とする下方向への略７５度の回動により起立状態の回動補助脚部25にて支持される水平状の使用状態になり、不使用時には軸40を中心とする上方向への略７５度の回動により水平方向に対して傾斜状（例えば水平に対する傾斜角度が略７５度）で固定手段32にて固定される起立不使用状態になる。なお、搬送体31の回動中心軸線は、平面視で、搬送体31の幅方向端部の後端位置から内方にずれた位置に位置する。
【００２６】
搬送体31は、搬送方向に長手状でかつ略板状で互いに離間対向した前後一対のフレーム部33と、これら両フレーム部33間に架設され搬送方向に並んで位置し上面側で被搬送物を載置搬送する略円筒状の複数の搬送ローラ部34とを有している。
【００２７】
また、前後の両フレーム部33同士は、前後方向に長手状の複数、例えば３本の連結フレーム部、すなわち第１連結フレーム部36、第２連結フレーム部37および第３連結フレーム部38にて連結されている。第１連結フレーム部36および第３連結フレーム部38の各後端近傍からは取付部39が下方に向って突出し、この取付部39が軸40を介して後側の垂直脚部26bの上端部に回動可能に取り付けられている。なお、前側のフレーム部33からは、手作業で搬送体31を回動させる際に把持される略コ字状の手掛け部35が下方に向って突出している。
【００２８】
さらに、第１連結フレーム部36および第３連結フレーム部38の各前端近傍からは、前板45および後板46を有し下面が開口した略コ字状の嵌合受け部である凹部47が下方に向って突出しており、この凹部47は搬送装置21の使用時に起立状態の回動補助脚部25の上端部と嵌脱可能に嵌合する。
【００２９】
固定手段は、例えば第１連結フレーム部36と上側連結部材20の長手方向一端部とにわたって位置する第１ワンタッチステー41と、この第１ワンタッチステー41に着脱される第１ワンタッチステー固定ピン42と、第３連結フレーム部38と上側連結部材20の長手方向他端部とにわたって位置する第２ワンタッチステー43と、この第２ワンタッチステー41に着脱される第２ワンタッチステー固定ピン44とを有している。
【００３０】
さらに、搬送装置21は、手作業による搬送体31の回動を補助する回動補助手段であるガススプリング50を備えている。このガススプリング50は、脚体22と搬送体31との間に設けられ、第２連結フレーム部37と上側連結部材20の長手方向略中央部とにわたって位置する。
【００３１】
そして、図７に示すように、各搬送装置21の搬送体31を傾斜状の起立不使用状態にしかつ脚体22の回動補助脚部25を水平状の倒伏状態にした状態で、一の搬送装置21の第１脚23の対向内面に他の搬送装置21の第１脚23の外面（対向内面とは反対側の面）を近接対向させ、一の搬送装置21の第２脚24の外面（対向内面とは反対側の面）に他の搬送装置21の第２脚24の対向内面を近接対向させ、両搬送装置21の起立不使用状態の搬送体31，31同士を互いに近接対向させることにより、複数の搬送装置21を前後に重ね合わせることが可能となっている。すなわち、複数の搬送装置21が前後にネスティング可能となっている。なお、図７は、例えば４台の搬送装置21を左右に若干ずらしてネスティングした状態を示している。
【００３２】
次に、上記搬送装置21の作用等を説明する。
【００３３】
搬送装置21を用いて被搬送物を搬送する場合には、搬送体31の前側に設けられた下向きの手掛け部35に手を掛けて、搬送体31を脚体22に対して軸40を中心として凹部47が起立状態の回動補助脚部25の上端部と当接嵌合するまで下方回動させることにより、搬送体31を水平状の使用状態に設定する。
【００３４】
不使用時には、搬送体31の手掛け部35に手を掛けて、搬送体31を脚体22に対して軸40を中心として略７５度上方回動させることによりこの搬送体31を傾斜状の起立不使用状態に設定する。
【００３５】
不使用時に収納スペースに複数台の搬送装置21を収納する場合、図７に示すように、キャスタ28を利用して一の搬送装置21に対して他の搬送装置21を接近移動させることにより複数の搬送装置21を前後にネスティングする。すなわち、搬送体31を傾斜状の起立不使用状態にしかつ回動補助脚部25を水平状の倒伏状態にした状態で、一の搬送装置21の第１脚23の対向内面に他の搬送装置21の第１脚23の外面を近接対向させ、一の搬送装置21の第２脚24の外面に他の搬送装置21の第２脚24の対向内面を近接対向させ、両搬送装置21の起立不使用状態の搬送体同士を互いに近接対向させることにより、複数の搬送装置21を前後に重ね合わせる。
【００３６】
そして、このような搬送装置21でも、上記搬送装置１と同様、不使用時に複数の搬送装置21をスペース効率良く収納できるとともに、部品点数の減少により構成の簡素化を図ることができ、軽量化も図れる。しかも、従来とは異なり搬送体31自体を伸縮するような構成ではないため、固定ガイド等のオプション類を搬送体11に取り付けることができる。
【００３７】
また、搬送体31が傾斜状の起立不使用状態になるため、搬送体31が垂直状の起立不使用状態になる場合に比べて、不使用時の重量バランスが良好で、搬送装置21の転倒を防止できる。
【００３８】
さらに、手掛け部35が搬送体31の前側下面に下方に向って突設されているため、手掛け部35が作業者に不用意に接触するようなことがなく、安全性の向上を図ることができる。
【００３９】
また、脚体22と搬送体31との間にガススプリング50が設けられ、かつ搬送体31の回動中心軸線が平面視で搬送体31の後端位置から内方にずれた位置に位置するため、作業者は手作業で搬送体31を簡単に上方に回動させることができる。
【００４０】
なお、搬送体11，31は、回転可能なローラで被搬送物を搬送するもの以外に、例えば無端ベルトで被搬送物を搬送するもの等でもよい。
【００４１】
また、搬送装置１は、脚体２の上部に搬送体11を蝶番14を介して回動可能に設けた構成には限定されず、例えば蝶番14を用いることなく脚体２の上部に搬送体11を軸を介して回動可能に取り付けた構成等でもよい。
【００４２】
さらに、搬送装置１，21は、手作業で搬送体11，31を上下方向に回動させる手動タイプには限定されず、例えばエアシリンダ、モータ等のアクチュエータで搬送体を回動させる自動タイプでもよい。
【００４３】
また、搬送体11を使用状態に固定およびその固定を解除する固定手段を設けたり、搬送体11を起立不使用状態に固定およびその固定を解除する固定手段を設けたりしてもよい。
【００４４】
さらに、脚体２，22の形状等は、複数の搬送装置１，21がネスティング可能であれば、いかなる形状等であってもよい。
【図面の簡単な説明】
【００４５】
【図１】本発明の搬送装置の関連技術を示す斜視図である。
【図２】同上搬送装置の側面図である。
【図３】同上搬送装置の前面図である。
【図４】同上搬送装置を複数重ね合わせた状態での斜視図である。
【図５】本発明の搬送装置の一実施の形態を示す側面図である。
【図６】図５のＡ−Ａ断面図である。
【図７】同上搬送装置を複数重ね合わせた状態を示す側面図である。
【符号の説明】
【００４６】
21    搬送装置
22    脚体
23    第１脚
24    第２脚
26a，26b 垂直脚部
29    連結部材
31    搬送体
47 嵌合受け部である凹部
【図１】
0004789134.tif 000002
【図２】
0004789134.tif 000003
【図３】
0004789134.tif 000004
【図４】
0004789134.tif 000005
【図５】
0004789134.tif 000006
【図６】
0004789134.tif 000007
【図７】
0004789134.tif 000008